(57)【要約】      （修正有）【課題】多くの人に視認され、適切なタイミングで情報を提示することができるトレイを提供する。【解決手段】物品を載置するための底板部１１と側壁部１２ａとからなるトレイ１において、底板部の裏面に脚部材２０を回動可能に設け、その脚部材２０に、情報を表示するための表示部４０を設けた。トレイ１としての使用がなされていないときには、脚部材２０を回動させて起立させることで、脚部材２０に表示された情報を、遠くからでも視認できるように提示することができる。【選択図】図３
0003216128.tif 000002
【実用新案登録請求の範囲】
【請求項１】
物品を載置するための底板部（１１）と、該底板部（１１）から立ち上げ形成された側壁部（１２ａ）と、からなるトレイ（１）であって、
前記底板部（１１）の裏面に、該底板部（１１）を起立させるための脚部材（２０）を回動可能に設けると共に、該脚部材（２０）に情報を表示するための表示部（４０）を設けたことを特徴とするトレイ。
【請求項２】
前記脚部材（２０）は、前記底板部（１１）の裏面の一側縁を軸として枢止された板部材であり、枢止側の側縁を延長して設けられた延長部（２１）が、前記側壁部（１２ａ）に係止されるように構成したことを特徴とする請求項１に記載のトレイ。
【請求項３】
前記底板部（１１）に開口部（１６）を設け、該開口部（１６）を覆うように前記脚部材（２０）を取り付けたことを特徴とする請求項１又は請求項２に記載のトレイ。
【考案の詳細な説明】
【技術分野】
【０００１】
本考案は、店舗や銀行、病院などの窓口業務に使用されるトレイに関し、特に情報伝達機能を備えたトレイに関する。
【背景技術】
【０００２】
店舗や銀行、病院などの窓口業務では、金銭、領収書、商品などの授受を安全かつ確実に行うべく、トレイを介して物品の受け渡しが行なわれる。
このような窓口業務に使用されるトレイにあっては、トレイ自体に情報伝達機能を持たせることで、顧客との間のコミュニケーションを向上させようとするものが各種提案されている。
例えば特許文献１には、トレイの底板に透明部を設け、その裏面に設けられた係止部に、メッセージ等が記載されたシートを取り付け、底板の透明部を通してメッセージ等を視認させるようにしたものが開示されている。
【特許文献１】意匠登録第１２８９７０３号公報
【考案の開示】
【考案が解決しようとする課題】
【０００３】
しかしながら、情報が表示されているのがトレイの内部であるので、窓口まで行ってトレイ内を覗き込まなければ視認することができず、必要な情報を周知させるには、遠くからでも視認できるような設備（掲示板など）を別途設ける必要があった。
一方、情報は適切なタイミングで提示されることが好ましく、常時表示されていたのでは、注意が喚起されない場合もある。
そこで、本考案は、多くの人に視認され、適切なタイミングで情報を提示することができるトレイの提供を目的とする。
【課題を解決するための手段】
【０００４】
上記課題を解決するために、物品を載置するための底板部と、該底板部から立ち上げ形成された側壁部と、からなるトレイであって、前記底板部の裏面に、該底板部を起立させるための脚部材を回動可能に設けると共に、該脚部材に情報を表示するための表示部を設けたことを特徴とするものである。
この場合、前記脚部材は、前記底板部の裏面の一側縁を軸として枢止された板部材であり、枢止側の側縁を延長して設けられた延長部が、前記側壁部に係止されるように構成してもよい。
また、前記底板部に開口部を設け、該開口部を覆うように前記脚部材を取り付けてもよい。
【考案の効果】
【０００５】
請求項１に係るトレイは、底板部を起立させるための脚部材を回動可能に設け、その脚部材に、情報を表示するための表示部を設けたので、トレイにおいて物品の授受が行なわれていないときには、脚部材を回動させてトレイを起立させることで、必要な情報を、遠くからでも視認することができる状態で表示することができる。
業務を行わない時は、底板部を起立させることによって、その旨の情報を発信することができるので、掲示板や館内放送などの手段によらずとも、必要な情報を、適切なタイミングで知らせることができる。
【０００６】
請求項２のトレイは、底板部の裏面の一側縁を軸として脚部材を枢止させ、その枢止側の側縁を延長させた部位を、底板部から立ち上げられた側壁部に係止させるようにしたので、トレイの起立状態を維持させるための機構を、簡単な構成で実現することができる。
請求項３のトレイは、底板部に開口部を設け、その開口部を覆うように脚部材を取り付けたので、トレイとして使用される際には、脚部材の一方の面をもって底板部を形成することができる。これによって、材料を低減させることができる。
【図面の簡単な説明】
【０００７】
【図１】本考案の実施形態に係るトレイを示し、（ａ）は正面図、（ｂ）は背面図、（ｃ）は平面図、（ｄ）は底面図、（ｅ）は右側面図である。
【図２】上記トレイを分解した状態を示す斜視図である。
【図３】上記トレイの使用状態を示す背面側斜視図である。
【図４】上記使用状態における側面図である。
【図５】トレイの内側に第２の表示部を設けた態様を示す正面側斜視図である。
【図６】上記実施形態における第１の変形例を示す背面側斜視図である。
【図７】上記変形例に係るトレイの正面側斜視図である。
【図８】上記実施形態における第２の変形例の使用状態を示す側面図である。
【図９】上記変形例の使用状態を示す背面図である。
【図１０】上記変形例がトレイとして使用される状態を示す側面図である。
【考案を実施するための形態】
【０００８】
本考案の好適な実施形態について、添付図面に基づいて説明する。なお、本考案の実施形態は以下の形態に限定されるものではなく、本考案の課題を解決しうるものであれば他の態様も実施可能である。  
【０００９】
図１は、本考案の第１実施形態に係るトレイ１を示す。
このトレイ１は、店舗、銀行、病院などの窓口において、金銭の授受に際して使用されるコイントレイであり、図２に示すように、本体部材１０と、脚部材２０と、マット３０と、表示部材４０とによって構成される。窓口業務の時間内にはトレイとして使用され、時間外では、図３に示すように、脚部材２０を回動させて起立させて使用されることを特徴とするものである。
【００１０】
本体部材１０は、物品が載置される底板部１１と、それを囲む側壁１２と、によって構成される。
底板部１１は、四角形状の平面部材によって構成されており、それを囲むように、底板部１１上の物品が飛散するのを防止するための側壁部１２ａ、１２ｂ，１２ｃ，１２ｄが設けられる。
これらの側壁部は、底板部１１から所定角度立ち上げられた構成である。この場合、底板部１１の延長面に対する外壁の角度θは、３０度〜８５度（好ましくは４５度〜８０度、より好ましくは５５度〜７０度）とする。  
【００１１】
底板部１１の表面には、物品を掴み取り易くするために、マット３０が貼り付けられている。
底板部１１の裏面には、両側縁部に沿った位置に台座１３が設けられる。正面寄りの中央部には、脚部材２０を本体部材１０に固定させるための嵌合部１４が設けられている。
この底板部１１の裏面の一側縁部には、図４に示すように、枢止部１５を介して、このトレイを起立させるための脚部材２０が回動可能に取り付けられている。
【００１２】
この脚部材２０は、平面状の板部材によって構成されており、枢止側の側縁には、延長部２１が設けられている。トレイ１を起立させる際には、この延長部２１が、側壁部１２ａに係止されることで、その起立状態が維持される。
延長部２１には、凹凸面からなる操作部２２が設けられている（図１（ｄ）を参照）。
【００１３】
延長部２１とは反対側の側縁は、本体部材１０の嵌合部１４に嵌合される被嵌合部となっている。これらの嵌合によって、トレイ１として使用される際、脚部材２０と本体部材１０とが一体化される。
トレイ１を起立させようとする際には、トレイ１を持ち上げ、延長部２１を側壁部１２ａ側に押し付けることで、脚部材２０と本体部材１０との嵌合が外れ、脚部材２０が回動可能となる。
【００１４】
脚部材２０の表面（すなわち、底面側の板面）には、顧客に向けての情報を表示するための表示部が設けられている。
表示部としては、例えば、磁性体材料によって構成された脚部材２０に、表示部材４０としてのマグネット板を吸着させたものを採用することができる。或いは、粘着シールをもって表示部としてもよいし、脚部材２０の板面をホワイトボードとして機能させてもよい。
【００１５】
または、脚部材２０の板面に「休止」、「営業時間外」などの文字を直接表示してもよいし、脚部材２０を着脱可能に構成し、所望の表示のなされた脚部材２０を適宜取り付けて使用するようにしてもよい。
上記構成のトレイ１の使用状態を説明する。
窓口における業務時間中は、本体部材１０の嵌合部１４と、脚部材２０の被嵌合部２４とを嵌合させ、トレイ１として使用する。
【００１６】
窓口業務を終了（あるいは休止）する際、トレイ１を持ち上げて、脚部材２０の延長部２１を側壁部１２ａに向けて押圧する。
これによって、本体部材１０との嵌合が外れて脚部材２０が回動し、延長部２１が側面部１２ａに係止される。底板部１１と同時に脚部材２０が起立することで、脚部材２０に設けられた表示部材４０があらわれる。
【００１７】
その場に居合わせた顧客は、窓口に目を向けさえすれば、その情報を認識することが可能となるので、窓口に出向いて確認したり、問い合わせたりする必要がない。
名前や受付番号など、人を呼び出すための情報を表示してもよい。これによって、個人名を放送することなく、人を呼び出すことが可能となり、プライバシーが守られる。
【００１８】
なお、本実施形態では、本体部材１０に脚部材２０が固定されるようにしたが、あえて固定せず、本体部材１０を持ち上げた際の自重で、脚部材２０が回動されるようにしてもよい。
このようにすれば、トレイ１を持ち上げると同時に脚部材２０が起立するので、表示部４０の内容を瞬時に視認させることができる。
【００１９】
また、本実施形態において、図５に示すように、底板部１１の表側の板面（即ち、トレイの内側の底面）に第２の表示部４１を設けてもよい。
業務時間に関わらず必要な情報を第２の表示部４１において提示し、業務外時間にのみ必要な情報を脚部材２０において提示するようにすれば、必要な情報を適切なタイミングで発信することができる。
【００２０】
また、図６に示すトレイ１’のように、底板部１１’に開口部１６を設け、その開口部１６を覆うように脚部材２０を取り付けてもよい。このようにすることで、脚部材２０を、トレイの底面として機能させることができ、材料を削減することが可能となる。
この場合にあっても、底板部１１’の開口部を透してあらわれる脚部材の板面に、第２の情報を表示するための表示部４５を設けることができる。
【００２１】
この際、開口部を透してあらわれる第２の表示部に、窓口の内側の者（業務提供者）にも周知させておくべく一般的な情報を表示し、脚部材２０の裏面側の表面（第１の表示部）に、顧客に向けた情報を表示すれば、必要な情報を効率的に発信することができる。
本体部材１０の形状、脚部材２０を起立させる機構などについては、各種の構成が採用可能である。
【００２２】
例えば、図８に示すトレイ１”のように、台座５０の上に、本体部材１０”を回動可能に設け、その裏側に脚部材２０”を回動可能に設けてもよい。この脚部材２０”には、情報を表示するための表示部材４０”が設けられている。
この場合の脚部材２０”は、図９に示すように、線材を折り曲げて構成されたものであってもよく、２本の線材の間に表示部材４０”を架設することで表示部としてもよい。
【００２３】
トレイ１”としては、書類用のトレイであってもよい。この場合、台座５０の正面側に、書類を取り出すためのガイド面５１を設け、背面側に、脚部材２０”を係止させるための複数段の係止部５２を設ける。
係止部５２は、両側縁部において背面側に向けて延びており、トレイとして使用される際には、図１０に示すように、脚部材２０”は台座部５０の内部に収納された状態となる。底面部１１”を囲むように側壁１２が設けられるが、正面側の内壁面を滑らかな湾曲面（或いは、傾斜面）とすることで、書類を滑らせて取り出すためのガイド面１２ｃ”が構成される。
【００２４】
業務を終了する際に、脚部材２０”を回動して底部材１０”を起立させることで、業務時間外である旨の情報を発信することができる。
病院の待合室のように、静けさが求められる空間において必要情報を周知させるには、何らかの掲示手段が必要となるが、本考案によれば、必要最小限の備品で、必要な情報を効果的に発信することが可能となる。
【産業上の利用可能性】
【００２５】
本考案は、窓口業務に限らず、工場や医療現場など、あらゆる産業分野における物品の授受に使用されるトレイに適用することができる。
【符号の説明】
【００２６】
１・・・トレイ
１０・・・本体部材
１１・・・底板部
１２・・・側壁
１３・・・台座
１４・・・嵌合部
１５・・・枢止部
１６・・・開口部・
２０・・・脚部材
２１・・・延長部
２２・・・操作部
２４・・・被嵌合部
３０・・・マット
４０・・・表示部材（表示部）
４１・・・表示部
４５・・・表示部（第２の表示部）
５０・・・台座
５１・・・ガイド面
５２・・・係止部
【図１】
0003216128.tif 000003
【図２】
0003216128.tif 000004
【図３】
0003216128.tif 000005
【図４】
0003216128.tif 000006
【図５】
0003216128.tif 000007
【図６】
0003216128.tif 000008
【図７】
0003216128.tif 000009
【図８】
0003216128.tif 000010
【図９】
0003216128.tif 000011
【図１０】
0003216128.tif 000012